(57)【要約】【課題】  腰掛式便器に取付けてあるＯ型便座に装着する、容易に着脱が出来、どんな使用状態でも寄れたり、矧がれたりせず、どんな形状の便座にも使用可能な便座カバーを提供することを目的とする。【解決手段】  平面Ｏ型に上面部及び下面部から成る二枚の布を設け、この布を重ねて上面部と下面部とは、内周側は一体的に縫製されていると共に外周側は突合せ状とし、該突合せ部にオープン式ファスナーを設け平面Ｏ形の袋状に形成する。  次に、便座カバーの後端部には、便座取付け部を覆う様に、凸布部を設け、スナップボタンにより係脱自在としたものである。【選択図】  図１
0003119418.tif 000002
【実用新案登録請求の範囲】
【請求項１】
腰掛式便器（１）の本体開口部（２）を囲むリム部（３）の上面に設けられた、環状便座（４）に着脱自在に装着する便座カバー（５）であって、上面部（６）及び下面部（７）から成り、平面Ｏ形の袋状に形成されており、さらに上面部（６）と下面部（７）とは、内周側は一体的に縫製されていると共に外周側は突合せ状とし、該突合せ部をオープン式ファスナー（８）により係脱自在としたことを特徴とする便座カバー
【請求項２】
上記便座カバー（５）の後端部には、便座取付け部（９）を覆う様に、凸布部（１０）を設け、スナップボタン（１１）により係脱自在としたことを特徴とする請求項１記載の便座カバー
【考案の詳細な説明】
【技術分野】
【０００１】  本考案は、腰掛式便器に取付けてある便座に装着する、着脱が容易でズレ難い便座カバーに関する。
【背景技術】
【０００２】  従来、腰掛式便器の便座には、形状によりＯ型とＵ型があり、最近は、Ｏ型の方が多く使用されており、また、座る位置が定まりにくい人にとっては、Ｏ型のほうが有利である。
材質は一般的なプラスチック製をはじめ、軟質ウレタン、ゴム製などがあり、高齢者にとっては柔らかい便座のほうが体圧が分散し、長時間座る場合には良い。
この様に便座は、直接肌に触れ合う部分なので、排便姿勢や座り心地に影響があり、そのため便座には、布製の便座カバーを装着したり、また、電気で暖めたりする物がある。【０００３】  上記の布製の便座カバーには、Ｕ型用の物とＯ型用の物がある。
Ｕ型便座は、先端が左右に分かれているので、便座カバーを装着する場合、カバー中央の開口部を便座の左右の先端部にあてがって左右同時に少しずつ差し込んでいく、取り付けた後、後部のフックを止めるものである。
次に、Ｏ型の便座カバーを装着する場合、Ｏ型便座は、環状に作られているため、先ず、便座カバーの内側の袋縫いの部分に、プラスチックなどのパイプからなる弾性リングを取付けて、便座の内側から裏側へ通し、表地が見えるようにセットし、便座表側から引き上げます。
次に、便座をたおし、フックの付いたゴムバンドが便座の奥側になるようにし、便座を持ち上げたままで、便座とフタのすき間にフックを通し、便座側面から引き上げます。
更に、引き上げてきたフックを両サイド２ヶ所のヒモに引っかけます。
最後に、両サイドのフックをかけ終わったら、カバーを引っ張り、まず手前から、そして左右へと便座に巻き込むように引っかけてセットするものである。【０００４】  また、上記の便座を電気で暖める暖房便座は、便座を暖める為の機構が組み込まれているため、従来の便座より大きく厚みも有るものである。
【考案の開示】
【考案が解決しようとする課題】
【０００５】  上記の様な従来の便座カバーでは、Ｕ型用の物は、装着するのは容易であったが、最近、Ｕ型便座そのものが少なくなって来ている。
最近は、Ｏ型便座が支流であるが、切れ目が無い環状に作られている為、便座カバーを装着する際、上記の様にかなり手間が係るものであった。
又、上記の様な便座カバーは、便座の表側のみ覆うように作られているもので、せっかく装着しても、お年寄りなど介護の必要な方などが便座に座る最に、便座の上を擦りながら移動する為、便座カバーが矧がれたり、しわが寄ったりして、不快な思いをする事があった。【０００６】  又、便座を電気で暖める暖房便座は、便座を暖める為の機構が組み込まれているため、従来の便座より大きく厚みも有り形状も特殊で、状来の便座カバーの装着方法では、きれいに装着する事が出来なかった、その為、便座カバーを装着せずに使用していた、しかし、特に、高齢で痩せ気味の小柄な方で、坐骨を覆う肉が薄くなっている人にとっては、プラスチック製の便座に直接腰掛けるのは痛みを伴なうなどの問題があった。【０００７】  上記の様な問題を解決する為に本考案の便座カバーは、容易に着脱が出来、どんな使用状態でも寄れたり、矧がれたりせず、どんな形状の便座にも使用可能な便座カバーを提供するものである。
【課題を解決するための手段】
【０００８】  腰掛式便器（１）の本体開口部（２）を囲むリム部（３）の上面に設けられた、環状便座（４）に着脱自在に装着する便座カバー（５）であって、上面部（６）及び下面部（７）から成り、平面Ｏ形の袋状に形成されており、さらに上面部（６）と下面部（７）とは、内周側は一体的に縫製されていると共に外周側は突合せ状とし、該突合せ部をオープン式ファスナー（８）により係脱自在としたもので、平面Ｏ型の袋状に形成することにより、Ｏ型便座を完全に包み込む事が出来、便座カバーが矧がれたり、しわが寄ったりすることが無い、更に、オープン式ファスナー（８）で係脱することで、容易に着脱する事ができる。
又、オープン式ファスナー（８）の代わりに、面状ファスナーを使用する事も出来る。【０００９】  上記便座カバー（５）の後端部には、便座取付け部（９）を覆う様に、凸布部（１０）を設け、スナップボタン（１１）により係脱自在とし、これに依り、一層便座カバーを固定させる事ができる。
又、スナップボタン（１１）の代わりに、面状ファスナー及びボタンも使用する事が出来る。
【考案の効果】
【００１０】  本考案は、上記の様な構成をなすもので、従来のＯ型便座カバーの様に、取付け方法が複雑で煩わしい物では無く、着脱が簡単で容易である。【００１１】  平面Ｏ型の袋状に形成することにより、Ｏ型便座を完全に包み込む事が出来、便座カバーが矧がれたり、しわが寄ったりすることが無い。【００１２】  便座を完全に包み込むため、暖房便座の様に、従来の便座より大きく厚みも有り形状も特殊な形状の便座にも装着する事ができる。
【考案の実施するための最良の形態】
【００１３】  本考便座カバーは、先ず平面Ｏ型に上面部及び下面部から成る二枚の布を設け、この布を重ねて上面部と下面部とは、内周側は一体的に縫製されていると共に外周側は突合せ状とし、該突合せ部にオープン式ファスナーを設け平面Ｏ形の袋状に形成する。
又、オープン式ファスナーの代わりに面状ファスナー及びボタンも使用する事が出来る。
次に、便座カバーの後端部には、便座取付け部を覆う様に、凸布部を設け、スナップボタンにより係脱自在としたものである。
又、スナップボタンの代わりに、面状ファスナー及びボタンも使用する事が出来る。
【実施例】
【００１４】  図面をもって説明する。先ず、平面Ｏ形の上面部（６）及び下面部（７）から成る二枚の布を設け、この布を重ねて上面部（６）と下面部（７）とは、内周側は一体的に縫製されていると共に外周側は突合せ状とし、該突合せ部をオープン式ファスナー（８）により係脱自在とした平面Ｏ形の袋状に形成した便座カバー（５）を設ける。【００１５】  上記の様に、平面Ｏ型の袋状に形成することにより、Ｏ型便座を完全に包み込む事が出来、便座カバーが矧がれたり、しわが寄ったりすることが無い、更に、オープン式ファスナー（８）で係脱することで、容易に着脱する事ができる。【００１６】  又、オープン式ファスナー（８）の代わりに、面状ファスナーを使用する事も出来る。【００１７】  次に、上記便座カバー（５）の後端部には、便座取付け部（９）を覆う様に、凸布部（１０）を設け、スナップボタン（１１）により係脱自在とし、これに依り、一層便座カバーを固定させる事ができる。
又、スナップボタン（１１）の代わりに、面状ファスナー及びボタンも使用する事が出来る。【００１８】  上記便座カバー（５）を使用する場合、腰掛式便器（１）の本体開口部（２）を囲むリム部（３）の上面に設けられた、環状便座（４）に装着するものである。
【図面の簡単な説明】
【００１９】
【図１】    本考案の状態を示す平面図
【図２】    本考案の使用状態を示すＡ〜Ａ断面図
【図３】    本考案の使用状態を示す斜視図
【符号の説明】
【００２０】  １    腰掛式便器
２    本体開口部
３    リム部
４    環状便座
５    便座カバー
６    上面部
７    下面部
８    オープン式ファスナー
９    便座取付け部
１０    凸布部
１１    スナップボタン
【図１】
0003119418.tif 000003
【図２】
0003119418.tif 000004
【図３】
0003119418.tif 000005